(57)【要約】【課題】ワイヤの張力消失に関わらず可動窓の急激落下を阻止できる上げ下げ窓の落下防止機構を得、上げ下げ窓の安全性を向上させる。【解決手段】縦の窓枠２７の溝３３に沿って少なくとも一つの可動窓１５を上げ下げ自在に備えた上げ下げ窓の落下防止機構１００であって、可動窓１５の上げ下げ方向に軸線が直交する方向で縦の窓枠２７に固設された揺動支持軸と、揺動支持軸に中央部が回動自在に固定され揺動によって上下端部のいずれか一方が可動窓１５の上げ下げ移動軌跡上に選択的に突出可能な揺動板と、揺動板の上端部を上げ下げ移動軌跡上に配置するよう揺動板を回転付勢する付勢手段と、上端部に形成され下降する可動窓１５が当接することで揺動板を付勢手段に抗して回転させる傾斜面と、下端部に形成され下端部が上げ下げ移動軌跡上に位置するときに可動窓１５に係止して可動窓１５の下降を阻止する爪とを具備した。【選択図】      図１
2008223413.tif 000002
【特許請求の範囲】
【請求項１】
縦の窓枠の溝に沿って少なくとも一つの可動窓を上げ下げ自在に備えた上げ下げ窓の落下防止機構であって、
前記可動窓の上げ下げ方向に軸線が直交する方向で前記縦の窓枠に固設された揺動支持軸と、
該揺動支持軸に中央部が回動自在に固定され揺動によって上下端部のいずれか一方が前記可動窓の上げ下げ移動軌跡上に選択的に突出可能な揺動板と、
該揺動板の上端部を前記上げ下げ移動軌跡上に配置するよう該揺動板を回転付勢する付勢手段と、
前記上端部に形成され下降する前記可動窓が当接することで前記揺動板を前記付勢手段に抗して回転させる傾斜面と、
前記下端部に形成され該下端部が前記上げ下げ移動軌跡上に位置するときに前記可動窓に係止して該可動窓の下降を阻止する爪と、
を具備したことを特徴とする上げ下げ窓の落下防止機構。
【請求項２】
前記爪が、前記上げ下げ方向の上方向に突出形成され、
前記可動窓には該爪を前記上げ下げ方向の下方向から挿入する係止部が設けられたことを特徴とする請求項１記載の上げ下げ窓の落下防止機構。
【請求項３】
複数の前記揺動支持軸が、前記縦の窓枠に、前記可動窓の上げ下げ方向に沿って離間して固設され、
それぞれの該揺動支持軸に、前記傾斜面及び前記爪を備えた前記揺動板と、前記付勢手段とが設けられたことを特徴とする請求項１又は２記載の上げ下げ窓の落下防止機構。
【発明の詳細な説明】
【技術分野】
【０００１】
本発明は、縦の窓枠の溝に沿って少なくとも一つの可動窓を上げ下げ自在に備えた上げ下げ窓の落下防止機構に関し、特に、バランサーの作動不能時に可動窓の落下を阻止する落下防止機構に関する。
【背景技術】
【０００２】
上下方向に開閉操作される可動窓を備えた上げ下げ窓は、窓重量と釣り合う引き上げ力を作用させて、可動窓を任意の位置に静止させたり、可動窓を小さな力で上下させたりする荷重平衡手段（バランサー）を備えるものがある。この種のバランサーとしては、窓枠の上部に取付けた渦巻きバネから繰り出されるワイヤで可動窓を吊持して窓重量と釣り合う平衡力を作用させるようにしたものや、室内側窓と室外側窓とを上部に配設した滑車を介してワイヤで吊持し窓重量をバランスさせたものなどが知られている。
【０００３】
ところが、ワイヤにて可動窓を吊持するバランサーでは、何らかの原因でワイヤが切断した場合には可動窓が落下してしまう問題があった。このような不具合を解消したものに、例えば特許文献１に開示される上げ下げ窓がある。この上げ下げ窓は、バランサーを一つの可動窓につき左右二つ設け、左右のバランサーから垂下された一対のワイヤを可動窓に移動可能に設けた連結部材の左右に接続する。通常時は左右のワイヤの張力が平衡状態を保っており、この平衡状態が崩れた時に連結部材が張力の大きいワイヤ側に引っ張られ、縦の窓枠に圧接するように構成し、バランサーの平衡状態が崩れた時に可動窓の急激な落下を防止し、安全性の向上が図られるようになされていた。
【特許文献１】特開２００１−２０７７２２公報
【特許文献２】特開２００２−２４２５２７公報
【発明の開示】
【発明が解決しようとする課題】
【０００４】
しかしながら、上記した上げ下げ窓は、平衡状態が崩れた時に張力の大きいワイヤ側に連結部材を引っ張り、縦の窓枠に圧接するように構成するため、例えば、経年劣化したワイヤでは一方のワイヤ切断による衝撃で他方のワイヤも切断し、左右のワイヤの張力が同時に消失し、可動窓が急激に落下する虞があった。また、バランサー内の渦巻きバネが破損したり、平衡力を出力する軸部が脱落、或いは折れた場合にも、同様の事態が想定された。さらに、特許文献２に開示される上げ下げ窓の窓吊り係止具においても、ワイヤが可動窓を吊持している状態では、揺動ブレーキ片を付勢手段に抗しながら縦の窓枠から離間する位置に保持し、ワイヤが切断したときには、ワイヤの張力消失で揺動ブレーキ片を付勢手段により突出し、縦の窓枠に接触させることにより可動窓の落下を防止するようなされるが、バランサー内の渦巻きバネ等が破損したときにはワイヤに或る程度の張力が作用するため、揺動ブレーキ片が突出せずに、可動窓が急激に落下する虞があった。このような事情から、上げ下げ窓には可動窓の落下が生じないようにするため、さらなる安全対策の採られることが望ましい。
【０００５】
本発明は上記状況に鑑みてなされたもので、ワイヤの張力消失に関わらず可動窓の落下を阻止できる上げ下げ窓の落下防止機構を提供し、もって、手指を挟む危険性を無くして、上げ下げ窓の安全性向上を図ることを目的とする。
【課題を解決するための手段】
【０００６】
次に、上記の課題を解決するための手段を、実施の形態に対応する図面を参照して説明する。
本発明の請求項１記載の上げ下げ窓の落下防止機構は、縦の窓枠２７の溝３３に沿って少なくとも一つの可動窓１５を上げ下げ自在に備えた上げ下げ窓１０の落下防止機構１００であって、
前記可動窓１５の上げ下げ方向に軸線が直交する方向で前記縦の窓枠２７に固設された揺動支持軸４５と、
該揺動支持軸４５に中央部が回動自在に固定され揺動によって上下端部のいずれか一方が前記可動窓１５の上げ下げ移動軌跡２９上に選択的に突出可能な揺動板４７と、
該揺動板４７の上端部を前記上げ下げ移動軌跡２９上に配置するよう該揺動板４７を回転付勢する付勢手段４９と、
前記上端部に形成され下降する前記可動窓１５が当接することで前記揺動板４７を前記付勢手段４９に抗して回転させる傾斜面４７ｃと、
前記下端部に形成され該下端部が前記上げ下げ移動軌跡２９上に位置するときに前記可動窓１５に係止して該可動窓１５の下降を阻止する爪４７ｂと、
を具備したことを特徴とする。
【０００７】
この上げ下げ窓の落下防止機構では、通常状態における可動窓１５の閉鎖操作時、傾斜面４７ｃに可動窓１５が接触して、下端部が一旦、上げ下げ移動軌跡２９上に配置されるが、可動窓１５が傾斜面４７ｃを通過した直後には、付勢手段４９によって下端部が上げ下げ移動軌跡２９から外れる位置へ退避され、爪４７ｂに係止することなく可動窓１５が閉鎖される。一方、荷重平衡手段のワイヤ切断等により可動窓１５が急激に落下すると、可動窓１５が傾斜面４７ｃに衝接することで、下端部が上げ下げ移動軌跡２９上に配置され、付勢手段４９によって下端部が上げ下げ移動軌跡２９から外れる前に、可動窓１５が下端部に到達して爪４７ｂに係止する。
【０００８】
請求項２記載の上げ下げ窓の落下防止機構は、前記爪４７Ａｂが、前記上げ下げ方向の上方向に突出形成され、
前記可動窓１５には該爪４７Ａｂを前記上げ下げ方向の下方向から挿入する係止部４１Ａａが設けられたことを特徴とする。
【０００９】
この上げ下げ窓の落下防止機構では、上げ下げ移動軌跡２９上に配置された下端部に可動窓１５が到達した際、爪４７Ａｂが下方向から可動窓１５の係止部４１Ａａに進入し、下端部の上げ下げ移動軌跡２９から外れる方向への揺動が規制される。
【００１０】
請求項３記載の上げ下げ窓の落下防止機構は、複数の前記揺動支持軸４５が、前記縦の窓枠２７に、前記可動窓１５の上げ下げ方向に沿って離間して固設され、
それぞれの該揺動支持軸４５に、前記傾斜面４７ｃ及び前記爪４７ｂを備えた前記揺動板４７と、前記付勢手段４９とが設けられたことを特徴とする。
【００１１】
この上げ下げ窓の落下防止機構では、落下方向の上部位置に設けた揺動板４７で可動窓１５の落下が阻止できなかったときであっても、それより下方に配置された次の揺動板４７によって可動窓１５の係止が可能となる。
【発明の効果】
【００１２】
本発明に係る請求項１記載の上げ下げ窓の落下防止機構によれば、縦の窓枠に固設された揺動支持軸と、この揺動支持軸に回動自在に固定された揺動板と、揺動板の上端部を上げ下げ移動軌跡上に配置するよう付勢する付勢手段と、揺動板の上端部に形成された傾斜面と、揺動板の下端部に形成され可動窓に係止して可動窓の下降を阻止する爪とを備えたので、通常状態における可動窓の閉鎖操作では、傾斜面に可動窓が接触して、下端部が一旦、上げ下げ移動軌跡上に配置されるが、可動窓が傾斜面を通過した直後には、付勢手段によって下端部が上げ下げ移動軌跡から外れる位置へ退避され、爪に係止することなく可動窓が閉鎖されることとなる。一方、荷重平衡手段のワイヤ切断等により可動窓が急激に落下すると、可動窓が傾斜面に衝接することで、下端部が上げ下げ移動軌跡上に配置され、付勢手段によって下端部が上げ下げ移動軌跡から外れる前に、可動窓が下端部に到達して爪に係止する。すなわち、可動窓と下の窓枠との間に所定の間隙が形成された状態で、可動窓の落下が阻止される。この結果、ワイヤの張力消失に関わらず可動窓の急激落下を防止でき、手指を挟む危険性を無くして、上げ下げ窓の安全性を向上させることができる。
【００１３】
請求項２記載の上げ下げ窓の落下防止機構によれば、爪を上げ下げ方向の上方向に突出形成し、この爪が下方向から挿入される係止部を可動窓に設けたので、上げ下げ移動軌跡上に配置された下端部に可動窓が到達した際、爪が下方向から可動窓の係止部に進入し、下端部の上げ下げ移動軌跡から外れる方向への揺動が規制される。これにより、可動窓が爪に係止状態で保持され、可動窓落下阻止時において爪を外れ難くして、可動窓の落下をより確実に防止できる。
【００１４】
請求項３記載の上げ下げ窓の落下防止機構によれば、複数の揺動支持軸を縦の窓枠に上げ下げ方向に離間配置し、それぞれの揺動支持軸に揺動板と、付勢手段とを設けたので、落下方向の上部位置に設けた揺動板で落下が阻止できなかった可動窓を、それより下方の揺動板によって係止することができ、可動窓の落下をより確実に防止することができる。
【発明を実施するための最良の形態】
【００１５】
以下、本発明に係る上げ下げ窓の落下防止機構の好適な実施の形態を図面を参照して詳細に説明する。
図１は本発明に係る落下防止機構を備えた上げ下げ窓の室内側から見た正面図である。
上げ下げ窓１０は、四角枠状に構成された窓枠１１の内部に、外窓１３と、内窓１５とを設け、少なくとも一方の内窓１５が可動窓となって縦の窓枠２７，２７の溝３３に沿って昇降自在とされる。内窓１５は室内側下方に、外窓１３は室外側上方にそれぞれ配置されて閉鎖状態となる。
【００１６】
上部横の窓枠１７の左右両端には荷重平衡手段である渦巻きバネ式等のバランサー装置１９，１９が配設され、バランサー装置１９，１９は繰り出された吊りワイヤ２３，２３が内窓１５の縦框２５，２５のプーリー２１，２１に張架された後、内窓１５に固定されている。
【００１７】
図示は省略するが、渦巻きバネ式バランサー装置１９は、内設された渦巻きバネにより内窓１５の重量と平衡を保ち、内窓１５を小さな力で開閉できるようにするとともに、任意の高さ位置に停止可能と開放位置で保持する。すなわち、内窓１５の閉止時には下降方向への閉止操作力が必要となる。なお、図中、３１は内窓１５の下框、３７は下の窓枠、３９は内窓１５に嵌められたガラスを表す。
【００１８】
図２は図１の一部分を切り欠いた要部拡大図である。
内窓１５と縦の窓枠２７とには落下防止機構１００が設けられる。落下防止機構１００は、本実施の形態において左右の窓枠２７，２７のそれぞれに配設されるが、いずれか一方の縦の窓枠２７のみに設けられるものであってもよい。また、後述するように、一つの窓枠２７に、上下方向に離間して多段状に複数が配設されてもよい。落下防止機構１００は、揺動支持軸４５と、略Ｓ字形状の揺動板４７とを主要な構成部材として有している。
【００１９】
縦の窓枠２７，２７にはベース板４３が固定され、ベース板４３は揺動支持軸４５を突設している。揺動支持軸４５は、内窓１５の上げ下げ方向（図２の上下方向）に軸線が直交する方向（図２の紙面垂直方向）でベース板４３を介して縦の窓枠２７，２７に固設される。揺動板４７は、揺動支持軸４５に中央部が回動自在に固定され、揺動によって上下端部のいずれか一方が内窓１５の上げ下げ移動軌跡２９上に選択的に突出可能となる。
【００２０】
内窓１５の下框３１の端部にはＬ字形状の当接部材４１が固設され、当接部材４１は下框３１（又は縦框２５）の端部から突出している。当接部材４１の取り付け位置は、下框３１に限らず、縦框２５の上下中間位置であってもよい。また、当接部材４１は、内窓１５に対し、後付けされる部材であってもよい。
【００２１】
本実施の形態で上げ下げ移動軌跡２９とは、内窓１５の下框３１に固設された当接部材４１の最外部による軌跡２９を言う。また、上げ下げ移動軌跡上とは、図２に示すように、揺動板４７の上端部に設けられた摺接部４７ａが上げ下げ移動軌跡２９（図中の垂直線）を越えて、内窓１５側に配置された状態を言う。
【００２２】
なお、当接部材４１は、下框３１自体、或いは縦框２５自体に形成されるものであってもよい。その場合、当接部材４１の当接先端４１ａが揺動板４７の下端部に到達する前に、揺動板４７の摺接部４７ａが再び移動軌跡２９を越えて内窓１５側に配置されるための凹部などが、下框３１自体、或いは縦框２５自体に必要となる。
【００２３】
揺動支持軸４５には付勢手段である捻じりコイルバネ４９が外挿され、捻じりコイルバネ４９は一端がベース板４３に係着し、他端が揺動板４７に係着することで、揺動板４７を図２の反時計回りに付勢している。すなわち、捻じりコイルバネ４９は、揺動板４７の上端部を、上げ下げ移動軌跡２９上に配置するよう揺動板４７を回転付勢している。
【００２４】
揺動板４７の上端部には傾斜面４７ｃが形成され、傾斜面４７ｃは下降する内窓１５の当接先端４１ａが当接することで、揺動板４７を捻じりコイルバネ４９の付勢力に抗して図２の時計回りに回転させる。本実施の形態では、傾斜面４７ｃの下端が、摺接部４７ａとなってく字状に突出する。
【００２５】
揺動板４７の下端部には爪４７ｂが形成され、爪４７ｂは下端部が上げ下げ移動軌跡２９上に位置するときに内窓１５に係止して、内窓１５の下降を阻止する。本実施の形態において、爪４７ｂは、下端部が上げ下げ移動軌跡２９上に位置するとき、係止面が水平配置される。この他、爪４７ｂは、後述するように、先端が上方向へ突出するものであってもよい。
【００２６】
次に、上記の上げ下げ窓の落下防止機構１００の作用を説明する。
図３は通常下降時における傾斜面摺接時の要部拡大図、図４は通常下降時における傾斜面通過直後の要部拡大図、図５は通常下降時における爪位置通過時の要部拡大図、図６は通常下降時における爪位置通過後の要部拡大図である。
落下防止機構１００は、内窓１５が閉鎖された状態で、揺動板４７の摺接部４７ａが上げ下げ移動軌跡２９上に突出している（図６の状態参照）。閉鎖状態から内窓１５が開放方向へ上げられると、当接部材４１の上端に摺接部４７ａが当たり、揺動板４７が図２の時計回りに回転し、当接部材４１が上方へ通過することとなる。
【００２７】
上昇されて開かれた内窓１５は、ワイヤ２３を介してバランサー装置１９によって吊られることで、自重が平衡され、下降することなく所望の高さで静止する。開放状態の内窓１５を閉めるには、内窓１５の下框３１或いは把手（図示せず）など掴み持つなどし下側へ押し下げる。これにより、内窓１５は閉動されることとなる。つまり、静止している内窓１５を、下げる方向に力を加える。
すると、上げ下げ移動軌跡２９上に突出した揺動板４７の傾斜面４７ｃに、当接部材４１の当接先端４１ａが当たり、揺動板４７を図３の時計回り（矢印ａ回り）に回転させる。
【００２８】
揺動板４７は、捻じりコイルバネ４９に付勢されることで、下降する内窓１５の当接部材４１に摺接部４７ａを摺接する。この状態で、揺動板４７の爪４７ｂは、上げ下げ移動軌跡２９上に突出されている。
【００２９】
図４に示すように、当接部材４１が摺接部４７ａを通過すると、揺動板４７は捻じりコイルバネ４９の付勢力によって再び反時計回り（矢印ｂ回り）に回転し、摺接部４７ａを上げ下げ移動軌跡２９上に配置するとともに、下端部の爪４７ｂを上げ下げ移動軌跡２９上から退避させる。これにより、図５に示すように、当接部材４１は爪４７ｂと干渉することなく、揺動板４７を通過し、図６に示すように、下框３１が下の窓枠３７に達して閉鎖となる。
【００３０】
図７は落下時における傾斜面摺接時の要部拡大図、図８は落下時における爪係止状態の要部拡大図、図９は変形例に係る爪及び係止部の拡大図である。
一方、ワイヤ２３の切断等により内窓１５が急激に落下すると、図７に示すように、当接部材４１が摺接部４７ａに衝接し、揺動板４７が勢いよく時計回り（矢印ａａ方向）に回転する。自由落下する内窓１５は、捻じりコイルバネ４９の付勢力によって爪４７ｂが上げ下げ移動軌跡２９上から退避する前に、図８に示すように、爪４７ｂに到達し、当接先端４１ａが爪４７ｂに引っ掛かり停止する。つまり、落下が阻止されることとなる。爪４７ｂに保持されて落下が阻止された内窓１５は、下框３１と下の窓枠３７との間に間隙Ｄが形成される。これにより、手指などの挟まれることが回避される。
【００３１】
なお、爪４７ｂによる係止をより確実にするため、図９に示すように、揺動板４７Ａの爪４７Ａｂを、上げ下げ方向の上方向に突出形成し、当接部材４１Ａには爪４７Ａｂを下方向から挿入する係止部４１Ａａを設ける構成としてもよい。このような変形例によれば、上げ下げ移動軌跡２９上に配置された下端部に内窓１５が到達した際、爪４７Ａｂが下方向から当接部材４１Ａの係止部４１Ａａに進入し、爪４７Ａｂの上げ下げ移動軌跡２９から外れる方向への揺動が規制される。これにより、内窓１５の衝突による爪４７Ａｂの外れを阻止し、内窓１５の落下をより確実に防止することができる。
【００３２】
このように、落下防止機構１００は、通常状態における内窓１５の閉鎖操作時、傾斜面４７ｃに内窓１５が接触して、下端部が一旦、上げ下げ移動軌跡２９上に配置されるが、内窓１５が傾斜面４７ｃを通過した直後には、捻じりコイルバネ４９によって下端部が上げ下げ移動軌跡２９から外れる位置へ退避され、爪４７ｂに係止することなく内窓１５が閉鎖される。一方、バランサー装置１９のワイヤ切断等により内窓１５が急激に落下すると、内窓１５が傾斜面４７ｃに衝接することで、下端部が上げ下げ移動軌跡２９上に配置され、捻じりコイルバネ４９によって下端部が上げ下げ移動軌跡２９から外れる前に、内窓１５が下端部に到達して爪４７ｂに係止することとなる。
【００３３】
したがって、本実施の形態による上げ下げ窓の落下防止機構１００によれば、縦の窓枠２７，２７に固設された揺動支持軸４５と、この揺動支持軸４５に回動自在に固定された揺動板４７と、揺動板４７の上端部を上げ下げ移動軌跡２９上に配置するよう付勢する捻じりコイルバネ４９と、揺動板４７の上端部に形成された傾斜面４７ｃと、揺動板４７の下端部に形成され内窓１５に係止して内窓１５の下降を阻止する爪４７ｂとを備えたので、通常状態における内窓１５の閉鎖操作では、内窓１５が閉鎖方向に急激に移動することはなく、バランサー装置１９などの自重平衡によって緩やかに閉鎖移動となり、傾斜面４７ｃに内窓１５が接触して、下端部が一旦、上げ下げ移動軌跡２９上に配置されるが、内窓１５が傾斜面４７ｃを通過した直後には、捻じりコイルバネ４９によって下端部が上げ下げ移動軌跡２９から外れる位置へ退避され、爪４７ｂに係止することなく内窓１５が閉鎖される。
【００３４】
一方、バランサー装置１９のワイヤ切断等により内窓１５の支えが無くなると、内窓１５は自重によって急激に落下することとなり、内窓１５が傾斜面４７ｃに衝接することで、下端部が上げ下げ移動軌跡２９上に配置され、捻じりコイルバネ４９によって下端部が上げ下げ移動軌跡２９から外れる前に、内窓１５が下端部に到達して爪４７ｂに係止する。すなわち、内窓１５と下の窓枠３７との間に所定の間隙Ｄが形成された状態で、内窓１５の落下が阻止される。この結果、ワイヤ２３の張力消失に関わらず内窓１５の急激落下を防止でき、手指を挟む危険性を無くして、上げ下げ窓１０の安全性を向上させることができる。
【００３５】
なお、上記の実施の形態では、一つの窓枠２７に左右一組の落下防止機構１００が設けられる構成を説明したが、本発明に係る落下防止機構は、一つの窓枠２７に、上下方向に離間して多段状に複数の落下防止機構１００が配設されてもよい。すなわち、複数の揺動支持軸４５が、縦の窓枠２７，２７に、内窓１５の上げ下げ方向に沿って離間して固設され、それぞれの揺動支持軸４５に、傾斜面４７ｃ及び爪４７ｂを備えた揺動板４７と、捻じりコイルバネ４９とが設けられる。
【００３６】
この変形例によれば、落下方向の上部位置に設けた揺動板４７で内窓１５の落下が阻止できなかったときであっても、それより下方に配置された次の揺動板４７によって内窓１５の係止が可能となり、内窓１５の落下をより確実に防止することができる。
【図面の簡単な説明】
【００３７】
【図１】本発明に係る落下防止機構を備えた上げ下げ窓の室内側から見た正面図である。
【図２】図１の一部分を切り欠いた要部拡大図である。
【図３】通常下降時における傾斜面摺接時の要部拡大図である。
【図４】通常下降時における傾斜面通過直後の要部拡大図である。
【図５】通常下降時における爪位置通過時の要部拡大図である。
【図６】通常下降時における爪位置通過後の要部拡大図である。
【図７】落下時における傾斜面摺接時の要部拡大図である。
【図８】落下時における爪係止状態の要部拡大図である。
【図９】変形例に係る爪及び係止部の拡大図である。
【符号の説明】
【００３８】
１０…上げ下げ窓
１５…可動窓（内窓）
２７…縦の窓枠
２９…上げ下げ移動軌跡
３３…溝
４１Ａａ…係止部
４５…揺動支持軸
４７…揺動板
４７ｂ…爪
４７ｃ…傾斜面
４９…付勢手段（捻じりコイルバネ）
１００…上げ下げ窓の落下防止機構
【図１】
2008223413.tif 000003
【図２】
2008223413.tif 000004
【図３】
2008223413.tif 000005
【図４】
2008223413.tif 000006
【図５】
2008223413.tif 000007
【図６】
2008223413.tif 000008
【図７】
2008223413.tif 000009
【図８】
2008223413.tif 000010
【図９】
2008223413.tif 000011